(57)【特許請求の範囲】
【請求項１】
走行車体（１）上で底部にコンベア（２）を具備した荷箱（３）の一側に、荷箱（３）側枠（２２），（２２）と連続するビータ側板（２４），（２４）間を横架し、伝動回転させながら堆肥の山に突っ込んで積込を行うことのできるビータ（２６）を備えたビータ装置（４）を設け、該ビータ装置（４）の左右側面に堆肥の側方散布口（５），（５）を形成すると共に、該側方散布口（５），（５）を、縦軸（６），（６）を中心に水平回動自在の開閉板（７），（７）によって開放・閉鎖する堆肥散布車において、コンベア（２）及びビータ（２６）の正逆転切換を行って堆肥の積込・散布作業の切換を行う作業切換装置（９）を積込側に操作した時に、上記開閉板（７），（７）を、積込作業時の破損を防止するよう閉鎖すべく連動構成してなる積込機能を有する堆肥散布車。
【発明の詳細な説明】
【０００１】
【発明の属する技術分野】
本発明は、積込機能を有する堆肥散布車に関する。
【０００２】
【従来の技術】
従来の堆肥散布車において、荷箱を傾斜してビータ装置を地面に接近し、該ビータ装置を堆肥の山に突っ込んで積込作業を行うものがある。
又、ビータ装置の左右側方に堆肥の広域散布用の側方散布口を形成し、水平回動自在の開閉板によって該側方散布口の開放・閉鎖を行って、拡散幅の調節を行うものがある。
【０００３】
【発明が解決しようとする課題】
ビータ装置側方に取付けた開閉板を開放した状態で堆肥の積込作業を行うと、該開閉板が堆肥に押圧されて破損する場合がある。
そこで本発明においては、堆肥の積込作業を行う際に、確実に開閉板を閉鎖することができる積込機能を有する堆肥散布車を提供することを課題とする。
【０００４】
【課題を解決するための手段】
走行車体１上で底部にコンベア２を具備した荷箱３の一側に、荷箱３側枠２２，２２と連続するビータ側板２４，２４間を横架し、伝動回転させながら堆肥の山に突っ込んで積込を行うことのできるビータ２６を備えたビータ装置４を設け、該ビータ装置４の左右側面に堆肥の側方散布口５，５を形成すると共に、該側方散布口５，５を、縦軸６，６を中心に水平回動自在の開閉板７，７によって開放・閉鎖する堆肥散布車において、コンベア２及びビータ２６の正逆転切換を行って堆肥の積込・散布作業の切換を行う作業切換装置９を積込側に操作した時に、上記開閉板７，７を、積込作業時の破損を防止するよう閉鎖すべく連動構成してなる積込機能を有する堆肥散布車の構成とした。
【０００５】
【発明の作用及び効果】
本発明の堆肥散布車においては、コンベア２及びビータ２６の正逆転切換を行って堆肥の積込・散布作業の切換を行う作業切換装置９を積込側に操作すると開閉板７，７が閉鎖するように連動構成したものであるから、例え開閉板７，７を開放した状態であっても、積込作業を開始すべく作業切換装置９を積込側に操作すると開閉板７，７が確実に閉鎖し、該開閉板７，７の閉じ忘れによる積込作業時の破損を防止することができる。
【０００６】
【発明の実施の形態】
次に、本発明の実施の形態を図面を参照して説明する。
本発明の堆肥散布車は、左右一対のクローラ走行装置１０，１０を有する走行車体１後部に取付台１１を形成し、該取付台１１上に搭載の原動機１２によって該クローラ走行装置１０，１０を駆動して走行する。取付台１１の前方には、堆肥積載用の荷箱３を形成しており、該荷箱３前端部に堆肥の積込・散布用のビータ装置４を装着している。
【０００７】
上記取付台１１の左右中央には、操作ボックス１３を設けており、該操作ボックス１３上方に突設するサイドクラッチレバー１４，１４、走行クラッチレバー１５、前後進切換変速レバー１６等によって車体１の走行操作を行うべく構成している。１７は上記操作ボックス１３後方に突設するハンドル杆であり、１８は車体１後進時の作業者の安全を図る挟圧防止杆である。
取付台１１前方の荷箱３には、その底部の前後にローラ１９，２０を横架し、該前後のローラ１９，２０間にコンベアベルト２１を巻掛けてコンベア２を構成しており、該コンベア２の左右側方に側枠２２，２２を立設し、後方に後枠２３を立設している。
【０００８】
荷箱３の前端部には上記側枠２２，２２と連続してビータ側板２４，２４を取付けており、該左右のビータ側板２４，２４上を覆板２５で連結し、更に該左右のビータ側板２４，２４間に横型ビータ２６横架してビータ装置４を構成している。２７は堆肥積込み用の掬い板である。
上記左右のビータ側板２４，２４には夫々側方散布口５，５を形成しており、縦軸６，６を中心に水平回動自在の開閉板７，７によって該側方散布口５，５の開放・閉鎖を行って堆肥の散布幅調節を行う。
２８は油圧シリンダであり、伸長することで上記荷箱３を前傾ダンプし、荷箱３前端のビータ装置４を地面に近接させる。
【０００９】
上記荷箱３の後枠２３後方には、コンベア２及び横型ビータ２６の正逆転切換を行って堆肥の積込・散布作業の切換を行う作業切換装置９を構成しており、該作業切換装置９から後方へ向けて突設する切換レバー２９によって該正逆転切換操作を行えるようにしている。
８は上記ビータ装置４側方の開閉板７，７を開閉操作する開閉操作装置であり、一対の係止溝３０，３０を設けたガイドプレート３１通して、一対の開閉レバー３２，３２を突設し、該開閉レバー３２，３２を夫々左右の開閉板７，７とワイヤ３３，３３で連結して左右独立して開閉操作可能に構成している。８０は、該ワイヤ３３，３３と開閉板７，７の連結部を覆う防護カバーであり、ビータ装置４上に落下する堆肥が該連結部に噛込んで破損することを防止している。
【００１０】
開閉レバー３２，３２は、リターンスプリング３４によって常時閉鎖方向Ａに付勢しており、ガイドプレート３１に設けた係止溝３０，３０に該開閉レバー３２，３２を係止することで上記開閉板７，７を所定角度に開放固定する。
原動機１２からの動力を受けて回転するメイン回転軸３５は、一端を作業切換装置９内のコンベアＨＳＴ３６に連結し、他端に伝動プーリ３７を装着している。
コンベアＨＳＴ３６の側方にはギヤケース３８を設置しており、該ギヤケース３８に装着の出力スプロケット３９とコンベア２に装着のコンベアスプロケット４０間にチェン４１を巻掛けて、該コンベア２を伝動回転する。
【００１１】
上記伝動プーリ３７は、荷箱３の側枠２２から突設した主軸４２に装着した第一プーリ４３と、ベルト４４で連動しテンションプーリ４５で動力の断続を行うようにしている。
又、該伝動プーリ３７を装着したメイン回転軸３５にはギヤ４６を装着しており、該ギヤ４６と噛合して上記メイン回転軸３５と逆回転するギヤ４７をサブ回転軸４８の一端に装着すると共に、該サブ回転軸４８の他端にも伝動プーリ４９を装着し、該伝動プーリ４９と上記主軸４２に装着した第二プーリ５０をベルト５１で連動してテンションプーリ５２で動力の断続を行うようにしている。
上記第一及び第二プーリ４３，５０を装着する主軸４２には主スプロケット５３も装着しており、側枠２２から突設したカウンタ軸５４に装着した第一スプロケット５５と、チェン５６によって連動している。該カウンタ軸５４には第二スプロケット５７も装着しており、該第二スプロケット５７と横型ビータ２６に装着したビータスプロケット５８間にチェン５９を巻掛けて、該横型ビータ２６を伝動回転している。６０，６０は上記チェン５６，５９を張圧するテンションプレートであり、６１は該チェン５６，５９を覆う伝動カバーである。
【００１２】
コンベアＨＳＴ３６の操作及びテンションプーリ４５，５２の張緩切換操作は、上記作業切換装置９から突設の切換レバー２９によって行う。
切換レバー２９は、図５に示す如くその根元部にコ字型ブラケット６２を装着しており、左右水平方向に配設する回動軸６３を該ブラケット６２で挟込んで垂直ピン６４によって連結することで、上下及び左右方向に回動可能に構成している。回動軸６３は、その中間部から下方に向けて回動プレート６５を固着しており、該回動プレート６５下端に形成した切欠きにコンベアＨＳＴ３６の切換ピン６６を噛合し、切換レバー２９の上下回動に合わせて前後回動する回動プレート６５によって該切換ピン６６を操作してコンベア２の正逆転切換を可能にしている。
【００１３】
コ字型ブラケット６２には、垂直ピン６４を挟んで一対のテンションワイヤ６７，６８を装着しており、切換レバー２９の左右回動に合わせて該ワイヤ６７，６８を引緩する。テンションワイヤ６７，６８は、夫々上記テンションプーリ４５，５２と連結しており、切換レバー２９の左右回動によってベルト４４又は５１の動力断続を行い、横型ビータ２６の正逆転切換操作を行っている。
６９は該作業切換装置９を覆う切換装置カバーであり、後面に形成の略Ｘ字型のガイド穴７０から上記切換レバー２９を突出している。該ガイド穴７０は、切換レバー２９を上下及び左右方向に案内可能な形状であれば良く、例えば、工字型，Ｈ字型等にしても良い。
【００１４】
回動軸６３の車体内側端部には、上方に向けて一片の回動板７６を突設した連動軸８１を装着しており、該連動軸８１を前記開閉板７，７の開閉操作装置８内で、前後一対の開閉レバー３２，３２間に配設している。
該開閉レバー３２，３２は、操作装置８内で前後方向に架設したレバー回動軸７１にブラケット７２，７２を介して左右回動可能に装着しており、更に該ブラケット７２，７２に形成の左右軸７３，７３によって前後方向にも回動可能に構成している。
開閉レバー３２，３２はワイヤ３３，３３によって開閉板７，７と連結しており、該開閉レバー３２，３２を操作してワイヤ３３，３３を引くことで開閉板７，７を開放する。
【００１５】
開閉レバー３２，３２を係止するガイドプレート３１の係止溝３０，３０は、左右方向に向けて併設した一対の長穴部７４，７４間に複数の係止部７５，７５を切欠いて、相対向する一対のＦ字型溝としている。
上記連動軸８１の上方には、上方及び下方に向けて夫々一片の規制板７８，７９を突設した規制軸７７を併設しており、該下方規制板７９を上記連動軸８１の回動板７６の回動軌跡内へ延出し、回動板７６と干渉して回動するようにしている。
【００１６】
以上の構成の堆肥散布車を用いて堆肥の散布作業を行うには、切換レバー２９を下方へ回動操作してコンベア２を正転し、更に、該切換レバー２９を左又は右方向へ回動操作して横型ビータ２６を伝動回転させながら積載堆肥をビータ装置４側へ送出して散布を行う。この時、開閉レバー３２，３２をガイドプレート３１の係止部７５，７５に係止することでビータ装置４側方の開閉板７，７を開放固定し、堆肥の散布幅を拡張することができる。
【００１７】
堆肥の積込作業を行う時は、切換レバー２９を上方へ回動操作してコンベア２を逆転し、更に、該切換レバー２９を左又は右方向へ回動操作して横型ビータ２６を伝動回転させながらビータ装置４を堆肥の山に突っ込んで積込を行う。この時、切換レバー２９の回動軸６３は該レバー２９の上方回動に伴って回動し、端部に固着の回動板７６によって規制板７８，７９を回動する。そして、該規制板７８，７９が夫々開閉レバー３２，３２間を押開き、該レバー３２，３２を係止溝３０，３０の係止部７５，７５から長穴部７４，７４へ移動させる。開閉レバー３２，３２はリターンスプリング３４によって常時閉鎖方向Ａに付勢しており、長穴部７４，７４へ押出された開閉レバー３２，３２をＡ方向に回動して開閉板７，７を閉鎖する。
【００１８】
従って、堆肥の積込作業を行う時は、必ず開閉レバー３２，３２が長穴部７４，７４へ押出されて開閉板７，７を閉鎖するので、該開閉板７，７の閉じ忘れによる破損を防止することができるのである。
尚、請求の範囲の項に図面との対照と便利にする為に番号を記すが、この記入により本発明は添付図面の構造に限定されるものではない。
【００１９】
【図面の簡単な説明】
【図１】  本発明の実施形態を示す全体側面図。
【図２】  伝動カバー６１を外した全体側面図。
【図３】  本発明の実施形態を示す全体平面図。
【図４】  本発明の実施形態を示す伝動系統図。
【図５】  作業切換装置９の組付け状態を示す斜視図。
【図６】  要部の一部破断した正面図。
【図７】  要部の一部破断した側面図。
【図８】  要部の平面図。
【符号の説明】
１    走行車体
２    コンベア
３    荷箱
４    ビータ装置
５    側方散布口
６    縦軸
７    開閉板
９    作業切換装置
【図１】
0004547586.tif 000002
【図２】
0004547586.tif 000003
【図３】
0004547586.tif 000004
【図４】
0004547586.tif 000005
【図５】
0004547586.tif 000006
【図６】
0004547586.tif 000007
【図７】
0004547586.tif 000008
【図８】
0004547586.tif 000009